(57)【特許請求の範囲】
【請求項１】
図形要素を描くための複数のレイヤを有するＣＡＤシステムにおいて、
作成された図面を格納する図面保存ファイルと、図形要素を格納した図形要素ファイルと、属性に関する情報を格納した属性ファイルと、図形要素、図面、レイヤに対する属性の付与、変更、削除、コピーを行う属性処理手段とを備え、
前記属性ファイル内に、作成する図面の用途に合った属性をまとめて保存する用途別属性ファイルが設けられ、
この用途別属性ファイルには、作成する図面の用途に応じて各レイヤに共通して設定する共通属性を格納した共通属性ファイルと、各レイヤ別に設定された属性を格納するレイヤ別属性ファイルとが設けられ、
前記属性処理手段には、各共通属性ファイルとレイヤ別属性ファイルに対してその用途別の属性を設定するための用途別レイヤ属性設定手段が設けられていることを特徴とするＣＡＤシステム。
【請求項２】
レイヤの属性に名称を設定するレイヤ別名称設定手段と、設定された名称でレイヤの属性を保存するための名称記録部を有するレイヤ別属性ファイルを備えていることを特徴とする請求項１に記載のＣＡＤシステム。
【請求項３】
各レイヤに設定した名称および設定した属性を表示させるレイヤ属性表示手段と、キーワードにより表示するレイヤの名称、属性を特定するための表示条件設定手段を有することを特徴とする請求項２に記載のＣＡＤシステム。
【請求項４】
ネットワークに接続された複数のＣＡＤシステムと、ネットワークに接続されかつ前記複数のＣＡＤシステムのぞれぞれからアクセス可能な属性ファイルを有し、この属性ファイルにレイヤ別属性ファイルと共通属性ファイルが設けられていることを特徴とする請求項１に記載のＣＡＤシステム。
【請求項５】
レイヤごとに設定されている図形要素の属性の一部または全体を一括して他のレイヤまたは他のＣＡＤシステムに複写または移動するための属性複写移動手段を有することを特徴とする請求項１に記載のＣＡＤシステム。
【発明の詳細な説明】
【０００１】
【発明の属する技術分野】
本発明は、図形要素を作成するための、複数のレイヤについてその属性の設定及び管理を行なうＣＡＤシステムに関する。
【０００２】
【従来の技術】
一般に、ＣＡＤシステムで作図を行う場合には、点、線、円弧、文字、寸法線などの図形要素を呼び出して、ディスプレイの所定の位置に配置し、拡大、縮小、移動、コピーなどの処理を行うことで、複数の図形要素を組合せ、所望の図面を作成する。この場合、各図形要素には、色、線種、文字サイズなどの属性を付与しておき、この属性を用途に合わせて選択することにより、同一の図形要素であっても異なった表示として、多種多様な図面を作成することを可能としている。
【０００３】
一方、従来から知られているＣＡＤシステムの一つとして、複数のレイヤを備え、各レイヤごとに図形要素を配置することで図面を作成するものがある。このような複数のレイヤを有するＣＡＤシステムでは、レイヤごとに図面を独立して作成した状態で、所望のレイヤを選択して重ね合わせて表示することにより、様々な態様の図面を表示している。このような複数のレイヤを有するＣＡＤシステムにおいては、各レイヤごとに独立して作図を行うことから、各レイヤで処理する図形要素に対しても他のレイヤとは別の属性を設定する機能を有している。すなわち、同じ図形要素であっても、レイヤが異なればその属性（例えば、線種や色など）も異ったものとすることができる。
【０００４】
【発明が解決しようとする課題】
しかし、前記のように各レイヤごとに属性を設定する機能を持っているＣＡＤシステムにおいては、全レイヤに共通な属性項目を変更する場合も、各レイヤごとに属性を変更しなければならなかった。例えば、図形要素が文字である場合に、すべてのレイヤで使用している文字のサイズや書体を変更したい場合に、レイヤを一つずつ呼び出して、各レイヤごとに文字サイズや書体を変更する作業が必要であった。
また、最近では、ネットワークを利用して複数のＣＡＤシステムを接続し、各ＣＡＤシステムにおいて作図作業を分担して実施することも提案されているが、このような複数のＣＡＤシステムにおいて図形要素やレイヤに対して属性を設定する場合に、他のレイヤやＣＡＤシステムで使用しているレイヤの属性と同じ設定をするにもかかわらず、レイヤの属性の項目を１つ１つ設定していかなければならなかった。
【０００５】
本発明は上記のような従来技術の問題点を解決するために提案されたもので、その目的は、全レイヤに共通な属性の設定は各レイヤごとに行わなくても良く、しかも、既に設定されているレイヤの属性はそのまま別のレイヤやＣＡＤシステムでも使えることのできるＣＡＤシステムを提供することにある。
【０００６】
【課題を解決するための手段】
上記目的を達成するため、請求項１に記載の発明は、図形要素を描くための複数のレイヤを有するＣＡＤシステムにおいて、図形要素を描くための複数のレイヤを有するＣＡＤシステムにおいて、作成された図面を格納する図面保存ファイルと、図形要素を格納した図形要素ファイルと、属性に関する情報を格納した属性ファイルと、図形要素、図面、レイヤに対する属性の付与、変更、削除、コピーを行う属性処理手段とを備え、前記属性ファイル内に、作成する図面の用途に合った属性をまとめて保存する用途別属性ファイルが設けられ、この用途別属性ファイルには、作成する図面の用途に応じて各レイヤに共通して設定する共通属性を格納した共通属性ファイルと、各レイヤ別に設定された属性を格納するレイヤ別属性ファイルとが設けられ、前記属性処理手段には、各共通属性ファイルとレイヤ別属性ファイルに対してその用途別の属性を設定するための用途別レイヤ属性設定手段が設けられていることを特徴とする。
請求項１に記載の発明では、レイヤ全てに共通な属性と各レイヤ独自の属性の両方の設定が可能であるので、全てのレイヤ共通の属性の項目については、共通属性に設定するだけで、全てのレイヤにおいて使用することができるので、各レイヤごとに同じ設定を行わなくてよいので、レイヤ属性の設定を効率よく行なうことができる。また、製図の用途別にレイヤ属性を持ち、それぞれの用途に合った色、線種、文字サイズなどの属性を設定しておくことができるので、新しく特定の図面を描く場合に、既にあるレイヤ属性をそのまま使用することができる。
【０００７】
請求項２に記載の発明は、請求項１に記載の発明において、レイヤの属性に名称を設定するレイヤ別名称設定手段と、設定された名称でレイヤの属性を保存するための名称記録部を有するレイヤ別属性ファイルを備えていることを特徴とする。
請求項２に記載の発明では、各レイヤ独自の属性内に用途に合った名称を設定する領域を持つことで、名称によりレイヤ属性を認識したり、名称でレイヤの属性を保存することができるので、名称からレイヤ属性の用途を明確にすることができる。
【０００８】
請求項３に記載の発明は、請求項２に記載の発明において、各レイヤに設定した名称および設定した属性を表示させるレイヤ属性表示手段と、キーワードにより表示するレイヤの名称、属性を特定するための表示条件設定手段を有することを特徴とする。
請求項３に記載の発明では、キーワードを利用して検索することにより、特定の条件をもつ属性の情報のみを表示することができるので、必要なレイヤ属性のみを表示することができる。
【００１０】
請求項４に記載の発明は、請求項１に記載の発明において、複数のレイヤごとに設定されている属性をネットワークで接続した記憶媒体に格納する手段と、ネットワークに接続された複数のＣＡＤシステムから前記記憶媒体に格納された属性を参照する手段を有することを特徴とする。請求項４に記載の発明では、記憶媒体内に格納されている全てのレイヤの共通属性とレイヤごとの属性をネットワークで接続し、複数のＣＡＤシステムから属性を参照することができるので、各ＣＡＤシステムごとに同じレイヤ属性の設定をする必要がなくなり、また使用するレイヤ属性の環境も統一できる。
【００１１】
請求項５に記載の発明は、請求項１に記載の発明において、レイヤごとに設定されている図形要素の属性の一部または、全体を一括して他のレイヤまたは他のＣＡＤシステムに複写または移動する手段を有することを特徴とする。請求項５に記載の発明では、レイヤごとの属性を保存しておき、レイヤごとの属性の全部または一部の項目をレイヤ間あるいは他のＣＡＤシステム間で複写することができるので、新しくレイヤ属性を設定しなくとも、既にある他のレイヤの設定を使用できる。
【００１２】
【発明の実施の形態】
（１）第１実施形態
以下、本発明に係るＣＡＤシステムの第１実施形態を図１及び図２に従って具体的に説明する。
図１は、本実施形態のＣＡＤシステムの基本的な構成を示すブロック図である。
図１において、１はキーボート、２はマウス、タブレットなどのポインティングデバイス、３はディスプレイ、４はプリンタであって、これらはＣＡＤシステムに対してデータやコマンドを入力したり、作図された図面を出力するための入出力端末機器の一例を示している。これらの入出力端末機器は、入出力インターフェイス５を介してコンピュータのＣＰＵ及びメインメモリから構成されるデータ処理装置に接続されている。このデータ処理装置上には、ＣＡＤシステムのソフトウェア部分を構成する作図処理部６が搭載されている。
【００１３】
この作図処理部６は、図形要素の生成、編集、削除、コピーなどの処理を行って図面を作成する図面編集手段７と、作成された図面やメニュー画面などの表示や印刷、作成された図面の保存、保存されている図面の呼び出などを行うための図面入出力手段８と、レイヤの生成、切替、削除、コピーなどの処理を行うレイヤ管理手段９と、図形要素、図面、レイヤなどに対する属性の付与、変更、削除、コピーなどを行う属性処理手段１０とを備えている。
【００１４】
この作図処理部６を搭載したデータ処理装置には、外部記憶装置が接続されており、この外部記憶装置上には、作成された図面を格納する図面保存ファイル１１と、点、線、円弧、文字、寸法線などの図形要素を格納した図形要素ファイル１２と、属性に関する情報を格納した属性ファイル１３とが設けられている。
【００１５】
前記のような基本的構成を有する本実施形態のＣＡＤシステムでは、図２に示すように、前記レイヤ管理手段９によって管理された複数のレイヤ０〜レイヤｎを備えると共に、各レイヤに対してアクセスすることのできるレイヤ別属性設定手段１０１と、すべてのレイヤに対して共通の属性を設定する共通属性設定手段１０２が設けられている。このレイヤ別属性設定手段１０１及び共通属性設定手段１０２は、図１における属性処理手段１０の一部を構成している。また、図１における属性ファイル１３には、個々のレイヤごとに設定された属性を記録するレイヤ別属性ファイル１３１と、すべてのレイヤに共通の属性を記録するレイヤ共通属性ファイル１３２とが独立して設けられている。
【００１６】
この場合、各属性ファイルに記録されている属性とは、図形要素やその集合である図面（レイヤ上の図面全体や図面の一部である部品を含む）あるいはこれら図形要素や図面を表示するレイヤを意味付けるための情報で、例えば、図形要素などの用途に合った色、線種、文字サイズなどのデータや、図面やレイヤについてその種類や名称などのデータが含まれる。また、これらの属性とそれを設定する図形要素などとの間には、一例として、両者を関係付ける固有のコード番号が付けられており、このコード番号は属性ファイル１３内の該当するデータの格納場所に、属性データとともに格納されると同時に対応する図形要素などのそれぞれにも同じ番号が付与される。
【００１７】
このような構成を有する本実施形態においては、各レイヤ上において作図を行う場合、そのレイヤ上に表示された図形要素に対してレイヤ別属性設定手段１０１を用いて属性を設定する。例えば、レイヤ１上に図形要素として線を描いた場合に、その線に関する属性として線の太さや線種（実線や破線など）を設定する。このようにしてそれぞれのレイヤ上の各図形要素に対して設定された属性はレイヤ別属性ファイル１３１に記録され、所定のレイヤを呼び出してその上に図面を表示させた場合に、そのレイヤに対応するレイヤ別属性ファイル１３１に記録された属性を呼び出すことにより、そのレイヤ上の各図形要素に対して設定された属性を付与することができる。
【００１８】
一方、図２の状態において、複数のレイヤについて共通の属性を設定する場合には、共通属性設定手段１０２を利用して、一度の操作で各レイヤ上の図形要素に対して共通の属性を設定したり、各レイヤのそれぞれにレイヤ自体の特性を表示する属性を設定する。例えば、すべてのレイヤで使用されている文字の種類やサイズを統一したり、すべてのレイヤにグリッドや寸法線を表示すると行った属性を、共通属性設定手段１０２によって一度に設定することができる。このようにして設定されたすべてのレイヤに共通の属性については、共通属性ファイル１３２に記録され、この共通属性ファイル１３２の内容が個々のレイヤを呼び出したりあるいは全レイヤを呼び出す場合に参照され、各レイヤ上の図形要素やレイヤの表示に適用される。
【００１９】
以上の通り、本実施形態によれば、レイヤ全てに共通な属性と各レイヤ独自の属性の両方の設定が可能であるので、全てのレイヤ共通の属性の項目については、共通属性設定手段１０２を使用して共通属性ファイル１３２に記録するだけで、全てのレイヤにおいて適用することが可能となるので、各レイヤごとに同じ属性の設定を行わなくて済み、レイヤ属性の設定を効率よく行なうことができる。
【００２０】
（２）第２実施形態
次に、本発明に係るＣＡＤシステムの第２実施形態を図３を用いて説明する。本実施形態は、図３に示すように、前記第１実施形態の構成に加えて、レイヤ別名称設定手段１０３を設けたことを特徴とする。このレイヤ別名称設定手段１０３は、図１における属性処理手段１０の一部を構成している。また、前記第１実施形態におけるレイヤ別属性ファイル１３１には、そのファイル名を保存する領域として名称記録部１３３が設けられている。
【００２１】
このような構成を有する本実施形態では、レイヤ別名称設定手段１０３を利用して各レイヤ独自の属性に用途に合った名称を設定することが可能となり、名称によりレイヤ属性を認識したり、名称でレイヤの属性を保存することができる。例えば、第１のレイヤ上に機械部品の移動前の状態を作図し、このレイヤについてはすべての線を実線とする属性を設定しておき、第２のレイヤ上に同じ部品の移動後の状態を作図し、このレイヤについてはすべての線を一点鎖線（仮想線）とする属性を設定した場合に、第１のレイヤの属性には「移動前」、第２のレイヤの属性には「移動後」というような名称を設定することにより、名称からレイヤ属性の用途を明確にすることができる。
【００２２】
（３）第３実施形態
次に、本発明に係るＣＡＤシステムの第３実施形態を図４を用いて説明する。本実施形態においては、属性ファイル１３に、レイヤ別属性ファイル１３１及び共通属性ファイル１３２に加えて、要素属性ファイル１３４が設けられている。また、属性処理手段１０には、各レイヤ内において図面を構成する点、線、円弧、文字、寸法線などの各図形要素に対して属性を付与するための要素属性設定手段１０４が設けられている。
【００２３】
このような構成を有する本実施形態においては、要素属性設定手段１０４によりレイヤ上の図形要素に対してレイヤ全体に付与する属性とは別個に属性を付与し、これを要素属性ファイル１３４に保存しておくことができる。その結果、レイヤ属性と要素属性とを別々に持つことにより、レイヤ属性を変更した場合でも、既に存在する要素属性を変更せずに新規に作成する要素の属性の設定として使用できるので、属性の一部が違う要素を同じレイヤ内に作成することができる。
【００２４】
（４）第４実施形態
次に、本発明に係るＣＡＤシステムの第４実施形態を図５を用いて説明する。
本実施形態においては、図面を構成する点、線、円弧、文字、寸法線などの要素を描くための複数のレイヤ０〜レイヤｎに対して、各レイヤ上に作成する部品の種類別の属性を設定する部品別属性設定手段１０５と、この部品別属性設定手段１０５によって設定された部品の種類別の属性を保存する種類別レイヤ属性ファイル１３５とから構成されている。そして、この種類別レイヤ属性ファイル１３５は、例えば、各レイヤ上の部品に対応して、部品Ａ用属性ファイル１３５１、用紙枠用属性ファイル１３５２、寸法用属性ファイル１３５３などのファイルから構成されている。
【００２５】
このような構成を有する本実施形態では、部品Ａ用属性ファイル１３５１、用紙枠用属性ファイル１３５２、寸法用属性ファイル１３５３というように、作成する部品の種類別にレイヤ属性を保存することができるので、各レイヤに対してそれぞれの用途に合った色、線種、文字サイズなどの属性を設定しておくことにより、新しく特定の部品などを作成する場合、既にあるレイヤ属性をそのまま使用することができる。
【００２６】
（５）第５実施形態
次に、本発明に係るＣＡＤシステムの第５実施形態を図６を用いて説明する。
本実施形態においては、図１に示した属性ファイル１３内に、用途別属性ファイル１３６が設けられている。この用途別属性ファイル１３６は、例えば、建築用属性ファイル１３６１、機械用属性ファイル１３６２など、作成する図面の用途に合った属性をまとめて保存するものである。そのため、各用途別属性ファイルには、作成する図面の用途に応じて各レイヤに共通して設定する共通属性を格納した共通属性ファイル１３２と各レイヤ別に設定された属性を格納するレイヤ別属性ファイル１３１とが設けられている。そして、属性処理手段１０には、これらの用途別の属性を設定するための用途別レイヤ属性設定手段１０６が設けられている。
【００２７】
このような構成を有する本実施の形態においては、建築用あるいは機械用などのように、製図の用途別にレイヤ属性を持ち、それぞれの用途に合った色、線種、文字サイズなどの属性を設定しておくことができるので、新しく特定の図面を描く場合に、既にあるレイヤ属性をそのまま使用することができる。
【００２８】
（６）第６実施形態
次に、本発明に係るＣＡＤシステムの第６実施形態を図７を用いて説明する。
本実施形態においては、属性処理手段１０内に、各レイヤに付けた任意の名称および設定した属性を表示させるためのレイヤ属性表示手段１０７と、キーワードにより表示するレイヤの名称、属性を特定するための表示条件設定手段１０８とが設けられている。
【００２９】
このような構成を有する本実施形態では、レイヤの表示条件設定手段１０８により、特定の条件をもつ属性の情報のみを表示することができるので、必要なレイヤ属性のみを表示することができる。例えば、図７においては、レイヤ番号が８−１００の間で、レイヤの属性名称に「図」がつくもののみを表示する例を記載している。
【００３０】
（７）第７実施形態
次に、本発明に係るＣＡＤシステムの第７実施形態を図８を用いて説明する。
本実施形態は、ネットワーク１４上に複数のＣＡＤシステム１５１〜１５ｎを接続すると共に、前記各実施形態で述べた各種のファイル（例えば、第１実施形態の共通属性ファイル１３２とレイヤ属性ファイル１３１）を格納した属性ファイル１３を、各ＣＡＤシステム１５１〜１５ｎから共通してアクセスすることができるようにネットワーク１４に接続したものである。
【００３１】
このような構成を有する本実施形態においては、属性ファイル１３内の全てのレイヤの共通属性ファイル１３２とレイヤごとの属性ファイル１３１をネットワーク等で接続し、複数のＣＡＤシステム１５１〜１５ｎから属性を参照することができるので、各ＣＡＤシステムごとに同じレイヤ属性の設定をする必要がなくなり、また使用するレイヤ属性の環境も統一できる。
【００３２】
（８）第８実施形態
次に、本発明に係るＣＡＤシステムの第８実施形態を図９を用いて説明する。
本実施形態においては、図面を構成する点、線、円弧、文字、寸法線などの要素を描くための複数のレイヤ１〜ｎと、各レイヤごとの属性を記録したレイヤ別属性ファイル１３１と、このレイヤ別属性ファイル１３１にアクセスして、レイヤごとに設定されている図面を構成する要素の属性の一部または全体を一括して他のレイヤに複写または移動するためのレイヤ間属性複写移動手段１０９とから構成されている。
【００３３】
このような構成を有する本実施形態においては、レイヤごとの属性をレイヤ別属性ファイル１３１に保存しておき、これをレイヤ間属性複写移動手段１０９によって操作することにより、レイヤごとの属性の全部または一部の項目をレイヤ間で複写することができ、また、直接レイヤ間ですべての属性の複写、移動も行うことができるので、新しくレイヤ属性を設定しなくとも、既にある他のレイヤの設定を使用できる。
【００３４】
（９）第９実施形態
次に、本発明に係るＣＡＤシステムの第９実施形態を図１０を用いて説明する。
本実施形態は、前記図８のネットワーク１４に複数のＣＡＤシステム１５１〜１５ｎを接続した実施形態において、属性ファイル１３内に、所定の１あるいは複数のＣＡＤシステムで使用する第１の属性ファイル１３Ａと、他の１あるいは複数のＣＡＤシステムで使用する第２の属性ファイル１３Ｂを設けたものである。この場合、属性ファイルの数は、ＣＡＤシステムの数に応じて多数設けても良いし、同じ属性ファイルを複数のＣＡＤシステムで共通して使用することも可能である。ここで重要なことは、属性ファイル１３内に複数種類のファイルが存在することである。そして、本実施形態では、このような複数の種類の属性ファイルのそれぞれに対してアクセスして、各属性ファイル内でレイヤごとに設定されている図面を構成する要素の属性の一部または全体を一括して、他のＣＡＤシステムのレイヤに複写または移動するシステム間属性複写移動手段１１０が設けられている。
【００３５】
このような構成を有する本実施形態では、例えば、レイヤごとの属性を第１の属性ファイル１３Ａに保存しておき、これをシステム間属性複写移動手段１１０を使用して第２の属性ファイル１３Ｂに複写するというように、レイヤごとの属性の全部または一部の項目をＣＡＤシステム間で複写することができ、また直接ＣＡＤシステムから他のＣＡＤシステムへレイヤごとの属性の複写、移動も行うことができるので、新しくレイヤ属性を設定しなくとも、既にある他のＣＡＤシステムのレイヤの設定を使用できる。
【００３６】
【発明の効果】
以上説明したように、本発明によれば、製図の用途別にレイヤ属性を持ち、それぞれの用途に合った属性を設定しておくことができるので、新しく特定の図面を描く場合に、既にあるレイヤ属性をそのまま使用することができる。
【図面の簡単な説明】
【図１】本発明のＣＡＤシステムの全体構成を示すブロック図。
【図２】本発明の第１実施形態である共通属性を設定するＣＡＤシステムを示すブロック図。
【図３】本発明の第２実施形態であるレイヤ属性に名称を設定するＣＡＤシステムのブロック図。
【図４】本発明の第３実施形態であるレイヤ内の図形要素に属性を設定するＣＡＤシステムのブロック図。
【図５】本発明の第４実施形態である部品別レイヤ属性を設定するＣＡＤシステムのブロック図。
【図６】本発明の第５実施形態である用途別レイヤ属性を設定するＣＡＤシステムのブロック図。
【図７】本発明の第６実施形態であるレイヤの表示条件設定手段を有するＣＡＤシステムのブロック図。
【図８】本発明の第７実施形態である属性ファイルを他ＣＡＤシステムから参照する機能をもつＣＡＤシステムのブロック図。
【図９】本発明の第８実施形態であるレイヤ属性を他のレイヤに複写、移動する機能をもつＣＡＤシステムのブロック図。
【図１０】本発明の第９実施形態であるレイヤ属性を他のＣＡＤシステムに複写、移動する機能をもつＣＡＤシステムのブロック図。
【符号の説明】
１…キーボード、
２…ポインティングデバイス、
３…ディスプレイ、
４…属性ファイル、
５…入出力インターフェイス、
６…作図処理部、
７…図面編集手段、
８…図面入出力手段、
９…レイヤ管理手段、
１０…属性処理手段、
１１…図面保存ファイル、
１２…図形要素ファイル、
１３…属性ファイル、
１４…ネットワーク、
１０１…レイヤ別属性設定手段、
１０２…共通属性設定手段、
１０３…レイヤ別名称設定手段、
１０４…要素属性付与手段、
１０５…部品別属性設定手段、
１０６…用途別レイヤ属性設定手段、
１０７…レイヤ属性表示手段、
１０８…表示条件設定手段、
１０９…レイヤ間属性複写移動手段、
１１０…システム間属性複写移動手段、
１３１…レイヤ別属性ファイル、
１３２…レイヤ共通属性ファイル、
１３３…名称記録部、
１３４…要素属性ファイル、
１３５…種類別レイヤ属性ファイル、
１３６…用途別属性ファイル、
１３６１…建築用属性ファイル、
１３６２…機械用属性ファイル、
【図１】
0004071420.tif 000002
【図２】
0004071420.tif 000003
【図３】
0004071420.tif 000004
【図４】
0004071420.tif 000005
【図５】
0004071420.tif 000006
【図６】
0004071420.tif 000007
【図７】
0004071420.tif 000008
【図８】
0004071420.tif 000009
【図９】
0004071420.tif 000010
【図１０】
0004071420.tif 000011